(57)【要約】【課題】ワイヤハーネスに対して容易に外装することができるケーブルガイドおよびこのケーブルガイドを用いたワイヤハーネス装置を提供すること。【解決手段】回動可能に連結された複数のリンク枠体１２を備え、各リンク枠体１２が、直交方向Ｂで対向する一対のリンクプレート１８，１８と、一対のリンクプレート１８，１８の基端部２０，２０を連結する底壁２２と、一対のリンクプレート１８，１８の先端部３６，３６を連結する蓋体１６とを有し、蓋体１６が一対のリンクプレート１８，１８に対してロック機構６０を介して着脱自在に連結される一対の連結部４２，４２を有し、各連結部４２において底壁２２に向かって突出する外壁５２と内壁５４が直交方向Ｂで対向しており、リンクプレート１８の先端部３６が外壁５２と内壁５４の間に配置される。蓋体１６は、直交方向Ｂに連続して延びて一対の連結部４２，４２間を繋ぐ補強リブ４８を備えている。【選択図】図１
2020141517.tif 000002
【特許請求の範囲】
【請求項１】
一列に並んで配置されて相互に回動可能に連結された複数のリンク枠体を備え、
各前記リンク枠体が、並び方向に直交する直交方向で相互に離隔して対向する一対のリンクプレートと、一対の該リンクプレートの基端部間に配置されて該基端部間を連結する底壁と、一対の前記リンクプレートの先端部間に配置されて該先端部間を連結する蓋体とを有し、
前記蓋体が、一対の前記リンクプレートに対してロック機構を介して着脱自在に連結される一対の連結部を有し、
各前記連結部が前記底壁に向かって突出する外壁と内壁を含んでおり、前記外壁と前記内壁が前記直交方向に離隔して対向して、前記リンクプレートの前記先端部が、前記外壁と前記内壁の間に配置されるようになっており、
前記蓋体には、前記直交方向に連続して延びて一対の前記連結部間を繋ぐ補強リブが設けられているケーブルガイド。
【請求項２】
前記リンク枠体の前記底壁に対向する前記蓋体の底面が平坦面とされており、
前記蓋体の天面に前記補強リブが設けられている請求項１に記載のケーブルガイド。
【請求項３】
前記並び方向において、前記蓋体の両縁部が、前記蓋体の中央部よりも薄肉に形成されて、前記蓋体の中央部に前記補強リブが設けられている請求項１または請求項２に記載のケーブルガイド。
【請求項４】
前記並び方向において、前記蓋体の中央部が、前記蓋体の両縁部よりも薄肉に形成されて、前記蓋体の両縁部に前記補強リブが設けられている請求項１または請求項２に記載のケーブルガイド。
【請求項５】
前記蓋体の幅寸法が、前記直交方向の中央部分よりも前記連結部側が大きくされている請求項１から請求項４の何れか１項に記載のケーブルガイド。
【請求項６】
前記蓋体の各前記連結部には、前記外壁を貫通するロック挿通穴が設けられ、該ロック挿通穴により撓み変形可能とされた前記外壁によって前記ロック機構のロック枠が構成されており、
前記ロック機構のロック爪が、各前記リンクプレートの前記先端部から前記直交方向の外方に突出して設けられている請求項１から請求項５の何れか１項に記載のケーブルガイド。
【請求項７】
前記蓋体の前記内壁と前記外壁が前記並び方向の長さ寸法となる幅寸法を有しており、前記内壁の幅寸法が前記外壁の幅寸法よりも小さくされている請求項１から請求項６の何れか１項に記載のケーブルガイド。
【請求項８】
一対の前記リンクプレートには、前記内壁を支持する支持部が設けられている請求項１から請求項７の何れか１項に記載のケーブルガイド。
【請求項９】
請求項１から請求項８の何れか１項に記載のケーブルガイドと、
前記ケーブルガイドに収容されたワイヤハーネスと
を備える、ワイヤハーネス装置。
【発明の詳細な説明】
【技術分野】
【０００１】
本開示は、ワイヤハーネスに外装されるケーブルガイドおよびワイヤハーネス装置に関する。
【背景技術】
【０００２】
特許文献１には、自動車の車体とスライドドアなどの可動体との間に設けられるケーブルガイドが示されている。ケーブルガイドは、筒形状をなす複数のリンク枠体が、相互に回動可能に順次連結された構造とされている。ケーブルガイドは、車体と可動体の間に架け渡されるワイヤハーネスに外装されて、ワイヤハーネスを保護すると共に、可動体の車体に対する移動に際して、ワイヤハーネスの湾曲を許容する。
【先行技術文献】
【特許文献】
【０００３】
【特許文献１】特開２０１０−１７９６８５号公報
【発明の概要】
【発明が解決しようとする課題】
【０００４】
しかしながら、特許文献１では、各リンク枠体が筒形状とされていることから、ワイヤハーネスがケーブルガイドの長さ方向の一端部の開口から連続する各リンク枠体の中空部に挿し入れられて、ケーブルガイドの長さ方向の他端部から引き出される必要がある。それゆえ、ケーブルガイドにワイヤハーネスを簡単に挿し入れることができる構造が望まれている。
【０００５】
そこで、ワイヤハーネスに対して容易に外装することができるケーブルガイドおよびこのケーブルガイドを用いたワイヤハーネス装置を提供することを目的とする。
【課題を解決するための手段】
【０００６】
本開示のケーブルガイドは、一列に並んで配置されて相互に回動可能に連結された複数のリンク枠体を備え、各前記リンク枠体が、並び方向に直交する直交方向で相互に離隔して対向する一対のリンクプレートと、一対の該リンクプレートの基端部間に配置されて該基端部間を連結する底壁と、一対の前記リンクプレートの先端部間に配置されて該先端部間を連結する蓋体とを有し、前記蓋体が、一対の前記リンクプレートに対してロック機構を介して着脱自在に連結される一対の連結部を有し、各前記連結部が前記底壁に向かって突出する外壁と内壁を含んでおり、前記外壁と前記内壁が前記直交方向に離隔して対向して、前記リンクプレートの前記先端部が、前記外壁と前記内壁の間に配置されるようになっており、前記蓋体には、前記直交方向に連続して延びて一対の前記連結部間を繋ぐ補強リブが設けられているケーブルガイドである。
本開示のワイヤハーネス装置は、前記ケーブルガイドと、前記ケーブルガイドに収容されたワイヤハーネスとを備える、ワイヤハーネス装置である。
【発明の効果】
【０００７】
本開示によれば、ワイヤハーネスに対して外装し易いケーブルガイドおよびこのケーブルガイドを用いたワイヤハーネス装置を提供することができる。
【図面の簡単な説明】
【０００８】
【図１】図１は、実施形態１にかかるケーブルガイドの代表的な構成例を説明する斜視図である。
【図２】図２は、図１のケーブルガイドを別の角度で示した斜視図である。
【図３】図３は、図１のケーブルガイドを構成するリンク枠体の分解斜視図である。
【図４】図４は、図３に示すリンク枠体を構成する蓋体の斜視図である。
【図５】図５は、図４の蓋体を拡大して示す正面図である。
【図６】図６は、図３に示すリンク枠体の断面図であって、図１のＶＩ−ＶＩ断面に相当する図である。
【図７】図７は、図６のＶＩＩ−ＶＩＩ断面図である。
【図８】図８は、実施形態２にかかる蓋体の代表的な構成例を説明する右側面図である。
【図９】図９は、実施形態３にかかる蓋体の代表的な構成例を説明する右側面図である。
【図１０】図１０は、実施形態４にかかる蓋体の代表的な構成例を説明する右側面図である。
【発明を実施するための形態】
【０００９】
＜本開示の実施形態の説明＞
最初に、本開示の実施態様を列記して説明する。
本開示のケーブルガイドは、
（１）一列に並んで配置されて相互に回動可能に連結された複数のリンク枠体を備え、各前記リンク枠体が、並び方向に直交する直交方向で相互に離隔して対向する一対のリンクプレートと、一対の該リンクプレートの基端部間に配置されて該基端部間を連結する底壁と、一対の前記リンクプレートの先端部間に配置されて該先端部間を連結する蓋体とを有し、前記蓋体が、一対の前記リンクプレートに対してロック機構を介して着脱自在に連結される一対の連結部を有し、各前記連結部が前記底壁に向かって突出する外壁と内壁を含んでおり、前記外壁と前記内壁が前記直交方向に離隔して対向して、前記リンクプレートの前記先端部が、前記外壁と前記内壁の間に配置されるようになっており、前記蓋体には、前記直交方向に連続して延びて一対の前記連結部間を繋ぐ補強リブが設けられているケーブルガイドである。
【００１０】
本開示のケーブルガイドによれば、蓋体が一対のリンクプレートに対してロック機構を介して着脱自在に連結されている。これにより、蓋体が一対のリンクプレートから取り外されることによって、従来は周方向に連続した筒状であったリンク枠体に、リンクプレートの先端部側へ向けて開放される開口を設けることができる。それゆえ、蓋体を取り外すことによって、複数のリンク枠体の内部空間が並び方向で連続することにより形成されたワイヤハーネスの挿通空間に、長さ方向で連続した開口部が確保される。その結果、ケーブルガイドに設けられたワイヤハーネスの挿通空間に対して、ワイヤハーネスが容易に挿通される。
【００１１】
一対のリンクプレートから分離して別体とされた蓋体は、一対のリンクプレートに対する連結部が、内壁と外壁からなる二重壁構造を有しており、内壁と外壁の間に一対のリンクプレートの先端部が挿し入れられる。それゆえ、蓋体によって先端部間を連結された一対のリンクプレート間に荷重が加えられても、二重壁構造の連結部によりリンクプレートが安定して支持されて、リンク枠体の強度が確保される。
【００１２】
連結部間に跨って連続して延びる補強リブにより蓋体が補強されていることから、連結部間に荷重が入力された際に、蓋体が座屈するなどのおそれも解消ないしは低減されている。このように、蓋体が一対のリンクプレートに対して別体とされていても、従来の筒状のリンク枠体に対する強度の低下が軽減ないしは回避されて、ワイヤハーネスの保護機能などが十分に発揮される。
【００１３】
（２）前記リンク枠体の前記底壁に対向する前記蓋体の底面が平坦面とされており、前記蓋体の天面に前記補強リブが設けられていることが好ましい。
【００１４】
ワイヤハーネスの挿通空間の壁面を構成する蓋体の底面が平坦面とされていることによって、蓋体とワイヤハーネスの干渉が防止される。蓋体の天面に補強リブが設けられていることによって、蓋体の補強が図られる。
【００１５】
（３）前記並び方向において、前記蓋体の両縁部が、前記蓋体の中央部よりも薄肉に形成されて、前記蓋体の中央部に前記補強リブが設けられていても良い。
【００１６】
ケーブルガイドが屈曲する際にワイヤハーネスに接触し易い蓋体の両縁部が薄肉に形成されることにより、ワイヤハーネスに対する蓋体の当接圧力が低減されて、ワイヤハーネスの損傷のおそれが低減される。補強リブを蓋体の中央部に設けることによって、例えば１つの補強リブによって、補強効果をバランスよく得ることができて、剛性のアンバランスによるモーメントの発生などを回避できる。
【００１７】
（４）前記並び方向において、前記蓋体の中央部が、前記蓋体の両縁部よりも薄肉に形成されて、前記蓋体の両縁部に前記補強リブが設けられていても良い。
【００１８】
ケーブルガイドが屈曲する際にワイヤハーネスからの圧力が集中しやすい蓋体の両縁部に補強リブが設けられることにより、蓋体の損傷が防止して、ケーブルガイドの耐久性の向上が図られる。
【００１９】
（５）前記蓋体の幅寸法が、前記直交方向の中央部分よりも前記連結部側が大きくされていることが好ましい。
【００２０】
ケーブルガイドが屈曲する際に円形断面で延びるワイヤハーネスからの圧力が及ぼされ易い蓋体の中央部分において、蓋体の幅寸法が連結部側よりも小さくされている。それゆえ、蓋体に対するワイヤハーネスの当接に際して荷重の集中が低減されて、蓋体の損傷防止や耐久性の向上が図られる。
【００２１】
（６）前記蓋体の各前記連結部には、前記外壁を貫通するロック挿通穴が設けられ、該ロック挿通穴により撓み変形可能とされた前記外壁によって前記ロック機構のロック枠が構成されており、前記ロック機構のロック爪が、各前記リンクプレートの前記先端部から前記直交方向の外方に突出して設けられていることが望ましい。
【００２２】
連結部の外壁によって構成されるロック枠と、リンクプレートの先端部から直交方向の外方へ突出するロック爪とによって、ロック機構が構成される。これにより、リンク枠体の内部空間の容積が大きく確保されつつ、ロック機構がコンパクトに設けられる。
【００２３】
連結部の外壁にロック挿通穴が形成されることによってロック枠が構成されることから、ロック枠の変形剛性が小さくされて、ロック枠が弾性変形しながらロック爪を乗り越え易くなる。それゆえ、蓋体がロック機構によってリンクプレートに連結され易くなって、蓋体のリンクプレートへの取付けが容易になる。
【００２４】
（７）前記蓋体の前記内壁と前記外壁が前記並び方向の長さ寸法となる幅寸法を有しており、前記内壁の幅寸法が前記外壁の幅寸法よりも小さくされていることが好ましい。
【００２５】
一対のリンクプレート間へ差し入れられる内壁の幅寸法が小さくされることによって、ケーブルガイドが屈曲した際にリンクプレートと内壁の干渉が生じ難く、ケーブルガイドの屈曲変形がより大きな自由度で許容される。
【００２６】
一対のリンクプレートの対向方向外側に配置される外壁の幅寸法が大きくされることによって、外壁がリンクプレートのより広い範囲に重ね合わされる。それゆえ、外壁の重ね合わせによるリンクプレートの補強が広い範囲にわたって実現される。
【００２７】
（８）一対の前記リンクプレートには、前記内壁を支持する支持部が設けられていることが好ましい。
【００２８】
蓋体の内壁が一対のリンクプレートの支持部によって支持されることにより、荷重の入力によるリンクプレートおよび蓋体の変形量が制限されて、耐久性の向上やワイヤハーネスに対する干渉の回避などが図られる。
【００２９】
本開示のワイヤハーネス装置は、
（９）上記（１）から（８）の少なくとも１つに記載のケーブルガイドと、前記ケーブルガイドに収容されたワイヤハーネスとを備えるワイヤハーネス装置である。
【００３０】
本開示のワイヤハーネス装置によれば、ケーブルガイドにワイヤハーネスが収容されたワイヤハーネス装置において、上記（１）から（８）の少なくとも１つに開示されたケーブルガイドが奏する効果を得ることができる。
【００３１】
＜本開示の実施形態の詳細＞
本開示のケーブルガイドの具体例を、以下に図面を参照しつつ説明する。なお、本発明は、これらの例示に限定されるものではなく、特許請求の範囲によって示され、特許請求の範囲と均等の意味および範囲内でのすべての変更が含まれることが意図される。
【００３２】
＜実施形態１＞
ケーブルガイド１０は、図１，２に示すように、一列に並んで配置された複数のリンク枠体１２が、相互に回動可能に連結された構造を有している。ケーブルガイド１０は、複数のリンク枠体１２の並び方向Ａにおいて所定長さで延びている。そして、ケーブルガイド１０は、図示しない車体とスライドドアなどの可動体との間に架け渡されたワイヤハーネスＷに対して、外装されて使用される。各リンク枠体１２は、図３に示すように、基体１４と蓋体１６によって構成されている。
【００３３】
基体１４は、ポリプロピレンやポリアミドなどの合成樹脂の射出成形品とされている。基体１４は、全体として溝形状とされており、並び方向Ａと直交する直交方向Ｂにおいて相互に対向して配置された一対のリンクプレート１８，１８と、それらリンクプレート１８，１８の基端部２０を相互に連結する底壁２２とを、一体的に備えている。
【００３４】
リンクプレート１８は、複数のリンク枠体１２の並び方向Ａにおいて、一方側に配置された第一プレート２４と、他方側に配置された第二プレート２６を有している。第一プレート２４と第二プレート２６は、厚さ方向である直交方向Ｂにおいて相互にずれて広がっており、相互に一体的につながっている。それら第一プレート２４と第二プレート２６からなるリンクプレート１８は、第一プレート２４と第二プレート２６の接続部分に段差部２８が形成されたオフセット構造とされている。
【００３５】
リンクプレート１８は、第一プレート２４が第二プレート２６よりも直交方向Ｂの外側に位置している。第一プレート２４の内面は、第二プレート２６の外面と同一平面上に広がっている。
【００３６】
第一プレート２４は、直交方向Ｂに貫通する連結ピン孔３０が形成されている。第一プレート２４は、連結ピン孔３０の開口周縁部において厚肉とされており、連結ピン孔３０の開口部分の変形剛性が確保されている。連結ピン孔３０は、貫通孔に限定されるものではなく、例えば外側の開口が閉塞された凹形状であっても良い。第二プレート２６は、直交方向Ｂにおいて外側へ突出する連結ピン３２が形成されている。連結ピン孔３０の内周面と連結ピン３２の外周面は、互いに対応する円形断面形状を有している。
【００３７】
一対のリンクプレート１８，１８の対向方向の内面には、支持部３４が形成されている。即ち、第二プレート２６が第一プレート２４に対して内側へオフセットしていることによって、一対のリンクプレート１８，１８における対向方向の内面には段差部２８が形成されている。この段差部２８に切欠きが形成されることにより、段差状の支持部３４が形成されている。
【００３８】
リンクプレート１８の先端部３６には、ロック爪３８が設けられている。ロック爪３８は、リンクプレート１８に一体形成されて、直交方向Ｂの外側に向けて突出している。ロック爪３８は、直交方向Ｂの両面が基端部２０側へ向けて直交方向Ｂの外側へ傾斜する傾斜面とされている。ロック爪３８は、基端部２０側の面が平坦な係止面とされている。
【００３９】
一対のリンクプレート１８，１８は、板状の底壁２２によって基端部２０を相互に連結されている。底壁２２は、一対のリンクプレート１８，１８と一体形成されている。
【００４０】
蓋体１６は、図４，５に示すように、板状とされており、蓋壁部４０の両側に連結部４２，４２が設けられた構造を有している。蓋体１６は、後述する天面４６側である表面と後述する底面４４側である裏面との形状が相互に異なっている。蓋体１６は、ポリプロピレンやポリアミドなどの合成樹脂の射出成形品とされている。蓋体１６は、基体１４と同一の材料によって形成されていても良いし、基体１４とは異なる材料によって形成されていても良い。例えば、基体１４よりも小さい蓋体１６が、より高強度の材料によって形成されることによって、耐久性の向上が図られると共に、高強度材料を限定的に使用することによりコストの増加が軽減され得る。
【００４１】
蓋壁部４０は、直交方向Ｂに延びる長手板状とされている。蓋壁部４０は、基体１４の底壁２２と対向する底面４４が平坦面とされている。並び方向Ａにおいて蓋壁部４０の中央部には、天面４６に突出する補強リブ４８が一体形成されている。補強リブ４８は、直交方向Ｂに向けて直線的に延びる凸条とされている。蓋壁部４０は、並び方向Ａにおいて補強リブ４８を外れた両縁部の厚さ寸法が、補強リブ４８が形成された中央部の厚さ寸法よりも小さくされている。補強リブ４８が蓋壁部４０の中央部に形成されていることにより、１つの補強リブ４８によって補強効果をバランスよく得ることができる。
【００４２】
連結部４２は、蓋壁部４０と平行に広がる天壁５０を備えている。天壁５０には、直交方向Ｂの外側端部において突出する外壁５２と、直交方向Ｂの内側端部において突出する内壁５４が形成されている。補強リブ４８は、一対の連結部４２，４２の間に架け渡されるように連続して設けられており、補強リブ４８の両端がそれら連結部４２，４２の天壁５０，５０につながっている。補強リブ４８の突出先端面は、天壁５０，５０の天面４６側の表面と同一平面上において広がっている。
【００４３】
外壁５２は、天壁５０に対して直交して広がる板状とされている。外壁５２は、天壁５０につながる基端部分が、一定の幅寸法をもって突出している。外壁５２の先端部分は、突出先端に向けて幅寸法が次第に小さくなっている。
【００４４】
天壁５０と外壁５２には、ロック挿通穴５６が形成されている。ロック挿通穴５６は、天壁５０および外壁５２の並び方向Ａの中央部分において、天壁５０における直交方向Ｂの外端部と外壁５２の基端部分に跨って形成されている。これにより、ロック挿通穴５６の形成部分において、天壁５０および外壁５２の断面がロック挿通穴５６の分だけ小さくされて、それら天壁５０および外壁５２の曲げ剛性が小さくされている。外壁５２にロック挿通穴５６が形成されることにより、外壁５２が天壁５０側へ向けて開放されたＵ字形状のロック枠５８を構成している。
【００４５】
内壁５４は、外壁５２と平行に広がる板状とされて、外壁５２に対して直交方向Ｂの内側へ離隔して対向している。内壁５４は、一定の幅寸法をもって天壁５０から突出している。内壁５４は、突出先端部分の外面が先端に向けて内側へ傾斜しており、突出先端に向けて直交方向Ｂにおいて薄肉となっている。内壁５４は、天壁５０におけるロック挿通穴５６の開口部分よりも直交方向Ｂの内側に位置している。
【００４６】
蓋体１６は、図６，７に示すように、基体１４に取り付けられる。即ち、基体１４のリンクプレート１８，１８の各先端部３６が、各連結部４２における外壁５２と内壁５４の対向間に差し入れられて配置される。そして、両外壁５２のロック枠５８が両リンクプレート１８のロック爪３８を乗り越えて、両ロック爪３８が蓋体１６の２つのロック挿通穴５６に差し入れられる。これにより、ロック爪３８とロック枠５８の係合（スナップフィット）によって基体１４と蓋体１６の分離が制限されて、基体１４の一対のリンクプレート１８，１８と蓋体１６を連結するロック機構６０が構成されている。ロック機構６０において、ロック爪３８は、ロック挿通穴５６から突出することなく収容状態で配置されており、省スペースなロック機構６０が構成されていると共に、外力の作用による意図しないロックの解除が生じ難い。
【００４７】
蓋体１６は、並び方向Ａの中央において並び方向Ａと直交して広がる平面に関する面対称形状とされていると共に、直交方向Ｂの中央において直交方向Ｂと直交して広がる平面に関する面対称形状とされている。それゆえ、蓋体１６を基体１４に組み付ける作業において、蓋体１６の表裏の向きだけが基体１４に対して合わされていればよい。例えば表裏の向きが正しくされた蓋体１６が基体１４に対して１８０°回転しても、蓋体１６が基体１４に正しく組み付けられる。このように、蓋体１６の組付け作業時に蓋体１６の基体１４に対する装着方向性が低減されており、蓋体１６を基体１４に対して容易に組み付けることができる。
【００４８】
内壁５４の突出先端部分の外面が突出先端に向けて内側へ傾斜していることにより、リンクプレート１８の先端部３６が内壁５４と外壁５２の間へ案内され易い。ロック爪３８の直交方向Ｂの両面が傾斜面とされて、ロック爪３８が蓋体１６側に向けて直交方向Ｂにおいて薄肉とされている。これにより、ロック爪３８が内壁５４と外壁５２の間へ案内され易くなっている。連結部４２の外壁５２によって構成されるロック枠５８と、リンクプレート１８の先端部３６から直交方向Ｂの外方へ突出するロック爪３８とによって、コンパクトなロック機構６０が構成されている。これにより、リンク枠体１２の後述する内部空間６２の容積が大きく確保される。
【００４９】
ロック機構６０は、基体１４と蓋体１６を着脱自在に連結する。基体１４と蓋体１６がロック機構６０によって連結された状態において、蓋体１６に外力が加えられて外壁５２および天壁５０が湾曲変形させられる。これにより、ロック爪３８と外壁５２の先端部分との係合が解除されて、蓋体１６を基体１４から取り外すことができる。
【００５０】
ロック挿通穴５６が形成された連結部４２の外壁５２によってロック枠５８が構成されることから、ロック枠５８の曲げ変形に対する剛性が小さくされている。それゆえ、ロック枠５８が弾性的にたわみながらロック爪３８を乗り越え易くなって、蓋体１６とリンクプレート１８，１８の連結作業が容易になる。
【００５１】
ロック挿通穴５６は、連結部４２において外壁５２だけでなく天壁５０も貫通して形成されている。これにより、天壁５０の曲げに対する変形剛性も小さくされており、天壁５０の弾性変形によっても、ロック枠５８がロック爪３８を乗り越え易くなっている。ロック挿通穴５６は、天壁５０において外壁５２と内壁５４の間に開口していることから、蓋体１６の成形に際して、金型の構造を簡単にすることができる。
【００５２】
蓋体１６が基体１４のリンクプレート１８，１８に取り付けられることにより、蓋体１６の蓋壁部４０が一対のリンクプレート１８，１８の先端部３６，３６間に配置されて、基体１４の側方への開口が蓋体１６によって覆われている。これにより、筒状のリンク枠体１２が基体１４と蓋体１６によって構成されている。リンク枠体１２は、図６，７に示すように、並び方向Ａにおいて貫通する内部空間６２が形成されている。
【００５３】
蓋体１６の外壁５２と内壁５４は、リンクプレート１８の先端部３６に重ね合わされた状態で先端部３６を挟んで配置されて、先端部３６に連結されている。これにより、リンクプレート１８の先端部３６が外壁５２および内壁５４によって補強されており、蓋体１６と基体１４の接続部分において変形剛性の向上が図られている。
【００５４】
蓋体１６の内壁５４は、リンクプレート１８の支持部３４に重ね合わされて支持されている。これにより、内壁５４の突出方向において、蓋体１６の連結部４２とリンクプレート１８が相対的に位置決めされている。例えば、荷重の作用によって、蓋体１６が変形したり、蓋体１６が基体１４に対して相対変位する場合にも、蓋体１６の内壁５４が支持部３４によって支持されることにより、蓋体１６の変形や変位が制限される。これにより、蓋体１６の過剰な変形による損傷が防止されると共に、蓋体１６がワイヤハーネスＷに押し当てられて、ワイヤハーネスＷが損傷するのも回避される。
【００５５】
図５に示すように、内壁５４の天壁５０からの突出寸法である高さ寸法ｈは、外壁５２の天壁５０からの突出寸法である高さ寸法Ｈよりも小さくされている。これにより、内部空間６２が内壁５４によって狭くなるのを防ぎながら、外壁５２によるリンクプレート１８の補強効果を広い範囲に及ぼすことができる。
【００５６】
リンク枠体１２は、図１，２に示すように、複数が並び方向Ａで相互に回動可能に連結されている。即ち、並び方向Ａにおいて隣り合うリンク枠体１２，１２は、一方のリンク枠体１２の連結ピン３２が他方のリンク枠体１２の連結ピン孔３０に差し入れられる。これにより、並び方向Ａにおいて隣り合うリンク枠体１２，１２は、連結ピン３２を中心とした所定の角度範囲での回動を許容された態様で相互に連結されている。このように、複数のリンク枠体１２が相互に回動可能に連結されることによって、ケーブルガイド１０が構成される。なお、ケーブルガイド１０を構成するリンク枠体１２の数は、特に限定されない。
【００５７】
リンクプレート１８の内面における並び方向Ａの一端部と、連結ピン３２の先端面における並び方向Ａの他端部は、相互に対応する傾斜面とされている。これにより、連結ピン３２を第一プレート２４に対して並び方向Ａの一方から差し入れ易くなっており、連結ピン３２を連結ピン孔３０へ挿入する作業が容易になっている。
【００５８】
ケーブルガイド１０は、並び方向Ａで隣接するリンク枠体１２同士の連結部分において屈曲可能とされている。複数のリンク枠体１２の回動可能な角度範囲は、例えば、一方のリンク枠体１２の第二プレート２６の端部が、他方のリンク枠体１２の第二プレート２６の段差部２８に当たることによって規定される。ケーブルガイド１０の屈曲は、蓋体１６側と底壁２２側の何れか一方側においてのみ許容されていても良いし、蓋体１６側と底壁２２側の両側において許容されていても良い。
【００５９】
図７に示すように、蓋体１６において、内壁５４の幅寸法ｄ（並び方向Ａにおける長さ寸法）は、外壁５２の幅寸法Ｄ（並び方向Ａにおける長さ寸法）よりも小さくされている。これにより、相互に連結されたリンク枠体１２，１２が回動する際に、一方のリンク枠体１２の内壁５４が、他方のリンク枠体１２のリンクプレート１８に干渉し難くなって、それらリンク枠体１２がより大きな角度まで回動を許容される。外壁５２の幅寸法Ｄが大きく確保されることにより、リンクプレート１８を外壁５２によって広い範囲にわたって補強することができる。
【００６０】
ケーブルガイド１０には、ワイヤハーネスＷが挿通されている。ワイヤハーネスＷは、例えば、複数の電線がチューブやバンドなどの結束部材によって結束されて構成されて、略円形断面で長尺に延びる形状を有している。もっとも、ワイヤハーネスＷは、複数の電線を束ねてなることからも分かるように、厳密に円形断面である必要はない。ケーブルガイド１０は、各リンク枠体１２の内部空間６２が並び方向Ａに連続した挿通空間６４が形成されており、この挿通空間６４にワイヤハーネスＷが配置されている。これにより、ワイヤハーネスＷの周囲がケーブルガイド１０によって保護されていると共に、ワイヤハーネスＷの湾曲変形がケーブルガイド１０の屈曲によって許容されている。なお、ワイヤハーネスＷを構成する複数の電線は、結束部材によって結束されていなくても良い。
【００６１】
挿通空間６４の壁面を構成する蓋体１６の底面４４が平坦面とされていることにより、挿通空間６４に収容されたワイヤハーネスＷが底面４４に当たる際に、底面４４の凹凸による応力の集中が回避されて、ワイヤハーネスＷの耐久性の向上が図られる。
【００６２】
ケーブルガイド１０に挿通されるワイヤハーネスＷは、基体１４に対して蓋体１６を取り付ける前に、基体１４の一対のリンクプレート１８，１８間に配設される。例えば、複数の基体１４がリンクプレート１８において相互に連結された状態で、ワイヤハーネスＷが各基体１４のリンクプレート１８，１８の対向間に配置された後、各基体１４のリンクプレート１８，１８にそれぞれ蓋体１６が取り付けられる。これにより、ケーブルガイド１０は、ワイヤハーネスＷを挿通空間６４に対して、ケーブルガイド１０の長さ方向である並び方向Ａにおいて連続する各基体１４の開口部から差し入れて挿通することが可能とされている。それゆえ、ワイヤハーネスＷをケーブルガイド１０の一方の端部から他方の端部まで並び方向Ａに挿し通す作業が不要になって、ワイヤハーネスＷをケーブルガイド１０に挿通する作業が容易になる。加えて、ワイヤハーネスＷの端部に設けられた端子をケーブルガイド１０の内部に挿通させる必要がないことから、ワイヤハーネスＷの端子に損傷を与えることなく、ケーブルガイド１０をワイヤハーネスＷに外装することが可能となる。
【００６３】
蓋体１６が基体１４に連結される際に、蓋体１６の内壁５４は、基体１４のリンクプレート１８の内面に対して、近接状態に保たれながらスライド移動させられる。これにより、リンクプレート１８と内壁５４の間にワイヤハーネスＷが噛み込むことがなく、ワイヤハーネスＷの損傷が回避されると共に、蓋体１６の基体１４への組付け作業が簡単になる。
【００６４】
ロック機構６０が基体１４のリンクプレート１８と蓋体１６の外壁５２との間に設けられていることから、ロック機構６０がワイヤハーネスＷに干渉することもない。
【００６５】
蓋体１６は、基体１４の一対のリンクプレート１８，１８に対する連結部４２，４２が、それぞれ外壁５２と内壁５４を備える二重壁構造とされており、外壁５２と内壁５４の間にリンクプレート１８の先端部３６が差し入れられる。それゆえ、リンク枠体１２に対して一対のリンクプレート１８の対向方向である直交方向Ｂに荷重が及ぼされても、二重壁構造の連結部４２によりリンクプレート１８が補強されていることによって、リンク枠体１２の耐荷重性能が十分に確保される。
【００６６】
具体的には、例えば、ケーブルガイド１０が車体とスライドドアの電装品とをつなぐワイヤハーネスＷに外装される場合には、ケーブルガイド１０を人が踏むなどして、直交方向Ｂの荷重がケーブルガイド１０に作用するおそれがある。この場合に、リンクプレート１８，１８における蓋体１６との連結部分が、蓋体１６の外壁５２と内壁５４によって補強されており、且つ蓋体１６の曲げ剛性が補強リブ４８によって補強されていることにより、リンク枠体１２の変形や損傷が回避される。従って、外部から作用する荷重に対して、ワイヤハーネスＷがケーブルガイド１０によって安定して保護されて、ワイヤハーネスＷの耐久性の低下や損傷が回避される。
【００６７】
なお、ケーブルガイド１０を車両に使用する場合、特に限定されるものではないが、例えば、ケーブルガイドは、図示した直交方向Ｂが上下方向となるように、スライドドアであり得る移動体と車体との間に架け渡される。ケーブルガイド１０とケーブルガイド１０に収容されたワイヤハーネスＷとのアセンブリをワイヤハーネス装置６６と呼称することがある。
【００６８】
＜実施形態２＞
図８は、本開示のケーブルガイドの別の具体例の構成部品である蓋体７０を示す。以下の説明において、図４に示す蓋体１６と実質的に同一の部材および部位については、図中に同一の符号を付して説明を省略する場合がある。
【００６９】
蓋体７０は、図８中の左右方向である並び方向Ａにおいて、蓋壁部７２の中央部が両縁部よりも薄肉に形成されている。これにより、蓋壁部７２は、並び方向Ａの両縁部に補強リブ７４がそれぞれ形成されて、蓋壁部７２の厚さ方向において外側（図８における紙面直交方向の手前側）に突出している。
【００７０】
蓋壁部７２の両縁部はケーブルガイドの屈曲時にワイヤハーネスに当接し易いことから、蓋壁部７２の両縁部に補強リブ７４が設けられることにより、ワイヤハーネスから蓋壁部７２の両縁部に力が集中的に作用しても、十分な耐久性を得ることができる。
【００７１】
＜実施形態３＞
図９は、本開示のケーブルガイドの別の具体例の構成部品である蓋体８０を示す。蓋体８０の蓋壁部８２は、並び方向Ａ（図９中、左右方向）における幅寸法が、直交方向Ｂ（図９中、上下方向）の中央部分よりも連結部４２，４２側である両端部において大きくされている。蓋壁部８２の並び方向Ａの両側面は、直交方向Ｂの中央部分が直交方向Ｂと平行に広がるストレート状部とされている。蓋壁部８２の並び方向Ａの両側面は、直交方向Ｂの両端部分が直交方向Ｂに対して傾斜して広がる傾斜面とされており、蓋壁部８２の幅寸法が両端部分において外側へ向けて次第に大きくなっている。
【００７２】
図９の蓋体８０において、蓋壁部８２は、並び方向Ａの両縁部に補強リブ８４がそれぞれ形成されている。補強リブ８４は、蓋壁部８２の両縁部に沿って屈曲して延びている。
【００７３】
蓋体８０は、ケーブルガイドが屈曲した際にワイヤハーネスが当接し易い蓋壁部８２の直交方向Ｂの中央部が、連結部４２に近い両端部よりも幅寸法を小さくされている。これにより、ワイヤハーネスの当接時に蓋壁部８２の中央部に対する荷重の集中が低減されて、耐久性の向上が図られる。
【００７４】
＜実施形態４＞
図１０は、本開示のケーブルガイドの別の具体例の構成部品である蓋体９０を示す。蓋体９０の蓋壁部９２は、並び方向Ａ（図１０中、左右方向）における幅寸法が、直交方向Ｂ（図１０中、上下方向）の中央部よりも両端部において大きくされている。蓋壁部９２の並び方向Ａの両側面は、直交方向Ｂの全体に亘って湾曲面とされており、中央部から両端部に向けて幅寸法が次第に大きくなっている。
【００７５】
図１０の蓋体９０によれば、蓋壁部９２の幅寸法が連続的に徐々に変化しており、断面形状の変化が緩やかになることによって応力の分散化が図られる。
【００７６】
蓋壁部の幅寸法を変化させる場合に、補強リブは、図９のように、並び方向Ａにおける両縁部に形成されていても良いし、図１０のように、並び方向Ａにおける中央部に形成されていても良い。
【００７７】
図１０に示す蓋壁部９２のように側面が湾曲面である場合には、両側面が同様に湾曲している必要はなく、互いに異なる曲率で湾曲していても良いし、片方の側面は平面であっても良い。このことは、図９に示す蓋壁部８２のように側面が折れ面である場合にも同様である。
【００７８】
以上、本開示の具体例として複数の実施形態について詳述したが、本開示はこれらの具体的な記載によって限定されない。本開示の目的を達成できる範囲での変形、改良等は本開示に含まれるものである。
【００７９】
蓋体１６，７０，８０，９０において、補強リブの具体的な構造をいくつか例示したが、補強リブは、蓋体において全体として直交方向に延びて一対の連結部を繋ぐリブ状であれば良く、例示の構造に限定されない。例えば、補強リブは、蓋壁部の中間部分に複数が設けられていても良いし、全体が湾曲しながら直交方向に延びていても良い。また、補強リブは、蓋壁部の外面に対する突出高さが直交方向において変化していても良い。
【００８０】
内壁は、外壁に対して、突出寸法が同じ或いは大きくされていても良いし、幅寸法が同じ或いは大きくされていても良い。内壁を大きくすれば、内壁によるリンクプレートの補強効果を大きく得ることができる。要するに、内壁と外壁の具体的な形状やサイズは、特に限定されず、想定される入力荷重の大きさや要求される耐久性、必要とされるワイヤハーネスの挿通空間の大きさなどを考慮して、適宜に変更され得る。
【００８１】
蓋体と一対のリンクプレートを連結するロック機構の具体的な構造は、特に限定されない。例えば、一対のリンクプレートにロック枠が設けられ、蓋体にロック爪が設けられて、それらロック枠とロック爪の係合によってロック機構が構成されていても良い。ロック機構は、蓋体の外壁を利用して構成されるものに限定されず、例えば内壁を利用して構成することもできる。
【符号の説明】
【００８２】
１０  ケーブルガイド
１２  リンク枠体
１４  基体
１６，７０，８０，９０  蓋体
１８  リンクプレート
２０  基端部
２２  底壁
２４  第一プレート
２６  第二プレート
２８  段差部
３０  連結ピン孔
３２  連結ピン
３４  支持部
３６  先端部
３８  ロック爪
４０，７２，８２，９２  蓋壁部
４２  連結部
４４  底面
４６  天面
４８，７４，８４  補強リブ
５０  天壁
５２  外壁
５４  内壁
５６  ロック挿通穴
５８  ロック枠
６０  ロック機構
６２  内部空間
６４  挿通空間
６６  ワイヤハーネス装置
【図１】
2020141517.tif 000003
【図２】
2020141517.tif 000004
【図３】
2020141517.tif 000005
【図４】
2020141517.tif 000006
【図５】
2020141517.tif 000007
【図６】
2020141517.tif 000008
【図７】
2020141517.tif 000009
【図８】
2020141517.tif 000010
【図９】
2020141517.tif 000011
【図１０】
2020141517.tif 000012